(57)【要約】【課題】電子商取引で使用する電子カタログを簡単に作成できるシステムを提供する。【解決手段】商品の登録画面と商品の変更・削除画面で電子カタログの登録、変更と削除が行える電子カタログ作成ソフトを作成し、さらにこのソフトで制御される商品の立体回転画像の撮影装置を製作し、これらの電子カタログ作成ソフトと撮影装置等を用いて電子商取引支援システムを構築する。【選択図】    図１
2004318791.tif 000002
【特許請求の範囲】
【請求項１】
販売者がシステム供給者から提供された電子カタログ作成ソフトを用いて作成した電子カタログをホストに登録し、購入者が上記ホストにインターネットを介してアクセスして商品を購入する電子商取引を支援する電子商取引支援システムにおいて、
上記電子商取引支援システムは、上記ホストと、上記システム供給者が提供する電子商取引支援ソフトと、上記インターネットで上記ホストに接続された上記コンピュータと、上記コンピュータに接続された電子カメラからなり、
上記電子商取引支援ソフトは、画像取込ソフトと商品登録・編集ソフトからなる上記電子カタログ作成ソフトと、事務処理ソフトからなり、
上記電子カタログ作成ソフトは、上記コンピュータの表示画面に商品登録画面を表示する機能と、入力された商品データを上記商品登録画面に表示する機能と、上記商品登録画面に設けられた撮影ボタンをクリックすることにより上記電子カメラで撮影した上記商品の画像を上記コンピュータに記録する機能と、上記商品登録画面に設けられた登録ボタンをクリックすることにより上記商品データと上記画像が表示された上記電子カタログを上記ホストに送信する機能を有することを特徴とする電子商取引支援システム。
【請求項２】
販売者がシステム供給者から提供された電子カタログ作成ソフトを用いて作成した電子カタログをホストに登録し、購入者が上記ホストにインターネットを介してアクセスして商品を購入する電子商取引を支援する電子商取引支援システムにおいて、
上記電子商取引支援システムは、上記ホストと、上記システム供給者が提供する電子商取引支援ソフトと、上記インターネットで上記ホストに接続された上記コンピュータと、上記コンピュータに接続された電子カメラからなり、
上記電子商取引支援ソフトは、画像取込ソフトと商品登録・編集ソフトからなる上記電子カタログ作成ソフトと、事務処理ソフトからなり、
上記電子カタログ作成ソフトは、上記コンピュータの表示画面に商品変更画面を表示する機能と、商品データを上記商品変更画面に表示し且つ変更する機能と、上記商品変更画面に設けられた撮影ボタンをクリックすることにより上記電子カメラで撮影した上記商品の画像を上記コンピュータに記録する機能と、上記商品変更画面に設けられた登録ボタンをクリックすることにより上記商品データと上記画像が表示された上記電子カタログを上記ホストに送信する機能を有することを特徴とする電子商取引支援システム。
【請求項３】
前記画像は、所定角度異なる１２枚乃至３６０枚の立体回転画像であることを特徴とする請求項１または２記載の電子商取引支援システム。
【請求項４】
販売者がシステム供給者から提供された電子カタログ作成ソフトを用いて作成した商品の電子カタログをホストに登録し、購入者が上記ホストにアクセスして上記商品を購入する電子商取引を支援する電子商取引支援方法において、
上記電子カタログ作成ソフトを起動するステップと、
上記電子カタログを作成する電子カタログ作成画面をディスプレイに表示するステップと、
上記電子カタログ作成画面の所定箇所に商品データを入力するステップと、
上記商品を撮影台にセットするステップと、
上記電子カタログ作成画面の撮像ボタンをクリックし、上記商品の画像を上記コンピュータに記録するテップと、そして
上記電子カタログ作成画面の登録ボタンをクリックし、上記商品データと上記画像を掲載した上記電子カタログを上記ホストに送信するステップからなることを特徴とする電子商取引支援方法。
【請求項５】
前記撮影台は水平面内を回転する撮影台であって、前記商品を撮影するに際して、複数枚撮影の命令を選択した後、前記撮影ボタンをクリックすることを特徴とする請求項４記載の電子商取引支援方法。
【発明の詳細な説明】
【０００１】
【発明の属する分野】
本発明は、電子商取引を支援するシステムと方法に関し、詳しくは、商品を販売する販売者が行う電子カタログの作成を支援する電子商取引支援システムと方法に係る。
【０００２】
【従来例】
従来、電子商取引をインターネット上で行うために電子カタログを作成する場合、販売者は、電子カタログの構成要素をＨＴＭＬやＸＭＬ等の言語で記述して、ホストに送信するようにしている（特開平１０−２４０８３０号公報及び特開２００２−３１２６９４号公報参照）。また、電子商取引サービスが提供されるＷｅｂページのデータや画像を電子カタログ作成ページにドラッグ・アンド・ドロップする技術が開示されている（特開２００２−１３３２９０号公報参照）。他方、ユーザにより商品の外観を立体回転表示させる方法とシステムが開示されている（特開２００１−１６７１８０号公報参照）。
【０００３】
【特許文献１】
特開平１０−２４０８３０号公報
【特許文献２】
特開２００２−３１２６９４号
【特許文献３】
特開２００２−１３３２９０号公報
【特許文献４】
特開２００１−１６７１８０号公報
【０００４】
【発明が解決しようとする課題】
従来の電子商取引支援システムにあって、電子カタログは、ＨＴＭＬやＸＭＬ等の言語を用いて作成しなければならないので、Ｅ−ショップの販売者の大半が自分で作成できないという問題点があった。更に、電子カタログで商品を購入するにあたり、商品の後姿を見たいという立体回転画像表示の要望も多くなっているが、ほとんどの販売者にとって、立体回転画像を電子カタログに取り入れることは難しいという問題もる。このようなことから、ほとんどの電子カタログは、専門業者に依頼され作成されているのが現状である。
【０００５】
本発明は、販売者が電子カタログを容易に作成できる電子カタログ作成ソフトを含む電子商取引支援システムと方法を提供することを目的としている。更に、本発明は、販売者が商品の立体回転画像を取り入れた電子カタログを容易に作成できる電子カタログ作成ソフトを含む電子商取引支援システムと方法を提供することも目的としている。
【０００６】
【発明を解決するための手段】
上記目的を達成するために、本発明の電子商取引支援システムは、販売者がシステム供給者から提供された電子カタログ作成ソフトを用いて作成した電子カタログをホストに登録し、購入者がホストにインターネットを介してアクセスして商品を購入する電子商取引を支援する電子商取引支援システムであって、電子商取引支援システムは、ホストと、システム供給者が提供する電子商取引支援ソフトと、インターネットでホストに接続されたコンピュータと、シリアルバスでコンピュータに接続された電子カメラからなり、電子商取引支援ソフトは、画像取込ソフトと商品登録・編集ソフトからなる電子カタログ作成ソフトと、事務処理ソフトからなり、電子カタログ作成ソフトは、コンピュータの表示画面に商品登録画面を表示する機能と、商品データを商品登録画面に表示する機能と、商品登録画面の撮影ボタンをクリックすることにより電子カメラで撮影した商品の画像をコンピュータに記録する機能と、商品登録画面の登録ボタンをクリックすることにより商品データと画像が表示された電子カタログをホストに送信する機能を有することを特徴とする。
【０００７】
このような電子商取引支援システムにより、Ｅ−ショップの販売者は、ＨＴＭＬやＸＭＬ等の言語の知識がなくても、自ら電子カタログを作成し、ホストに電子カタログを登録することができる。ＨＴＭＬやＸＭＬ等の言語の知識を有する販売者においても、電子カタログの作成に要する時間が１／３以下に短縮され、電子カタログの登録が容易となる。このようなことから、ショップ側は、商機を逃がすことなく、電子カタログをホストに登録することが可能となる。
【０００８】
また、本発明の電子商取引支援システムは、販売者がシステム供給者から提供された電子カタログ作成ソフトを用いて作成した電子カタログをホストに登録し、購入者がホストにインターネットを介してアクセスして商品を購入する電子商取引を支援する電子商取引支援システムであって、電子商取引支援システムは、ホストと、システム供給者が提供する電子商取引支援ソフトと、インターネットでホストに接続されたコンピュータと、シリアルバスでコンピュータに接続された電子カメラからなり、電子商取引支援ソフトは、画像取込ソフトと商品登録・編集ソフトからなる電子カタログ作成ソフトと、事務処理ソフトからなり、電子カタログ作成ソフトは、コンピュータの表示画面に商品変更画面を表示する機能と、商品データを商品変更画面に表示する機能と、商品変更画面の撮影ボタンをクリックすることにより電子カメラで撮影した商品の画像をコンピュータに記録する機能と、商品変更画面の登録ボタンをクリックすることにより商品データと画像が表示された電子カタログをホストに送信する機能を有することを特徴とする。
【０００９】
このような電子商取引支援システムにより、Ｅ−ショップの販売者が、ＨＴＭＬやＸＭＬ等の言語の知識をほとんど保有しなくても、販売者が使用するコンピュータに電子カタログの画面を表示し、その画面を用いて自ら電子カタログを変更し、変更した電子カタログをホストに登録することができる。ＨＴＭＬやＸＭＬ等の言語の知識を有する販売者においても、電子カタログの変更に要する時間が１／２以下に短縮され、電子カタログの変更が容易となり、商機を逃がすことなく適切な対応をとることが可能となる。
【００１０】
また、本発明の電子商取引支援システムにおいて、商品の画像は、所定角度異なる１２枚乃至３６０枚の立体回転画像であることを特徴とする。
【００１１】
このような電子商取引支援システムにより、販売者は、商品の立体回転画像を掲載した電子カタログを容易に作成し、登録することが可能となる。商品の立体回転画像の取り込みに要する時間は、１／１０以下に短縮される。
【００１２】
また、本発明の電子商取引支援方法は、販売者がシステム供給者から提供されたる電子カタログ作成ソフトを用いて作成した電子カタログをホストに登録し、購入者がホストにアクセスして商品を購入する電子商取引を支援する電子商取引支援方法において、電子カタログ作成ソフトを起動するステップと、電子カタログを作成する電子カタログ作成画面をディスプレイに表示するステップと、電子カタログ作成画面の所定箇所に商品データを入力するステップと、商品を撮影台にセットするステップと、電子カタログ作成画面の撮像ボタンをクリックし、商品の画像をコンピュータに記録するステップと、そして電子カタログ作成画面の登録ボタンをクリックし、商品データと画像を掲載した電子カタログをホストに送信するステップからなることを特徴とする。
【００１３】
このような電子商取引支援方法により、販売者が容易に電子カタログを作成することができる。
【００１４】
また、本発明の電子商取引支援方法は、撮影台が水平面内を回転する撮影台であって、商品を撮影するに際して、電子カタログ作成画面で撮影条件の項目を指示してメニューを開き、複数枚撮影の命令を選択した後、撮影ボタンをクリックすることを特徴とする。
【００１５】
このような電子商取引支援システムにより、販売者が商品の立体回転画像を掲載した電子カタログを容易に作成することが可能となる。
【００１６】
【発明の実施の形態】
発明の実施の形態を実施例にもとづき図面を参照して説明する。
図１は、電子商取引システムを模式的に示したもので、電子商取引システムは、ホストと、ＳＨＯＰ（以下ショップという）（販売者）側とカスタマ（購入者）側から構成される。
システム供給者は、仮想商店（仮想商店とはネットワーク上に構築された電子商取引により販売を行う商店のことである）を販売者が利用できるように、電子商取引支援システムを提供する。このシステムは、電子商取引支援ソフトとハードウエアからなる。ハードウエアとして、ホスト１（ホストコンピュータの略）を使用できるようにしてある。ホスト１は、ストレージ２付きのミニコンでインターネットサーバである。ミニコンは、汎用コンピュータや上位機種のパソコンでも良い。ストレージには、ハードディスクを用いる。
【００１７】
ショップ（販売者）側は、電子カタログで商品を販売するＥ−ショップの側で、使用する機器は、パソコン３と、電子カメラ４と、回転制御装置７付き撮影台６である。なお、商品コード入力を支援する機器としてバーコードリーダ５が使用できるようになっていることが好ましい。電子カメラと撮影台は、商品の画像を電子カタログに自動的に取り込むため、電子カタログ作成ソフトでサポートされていなければならないので、システム供給者からの貸与又は購入が好ましい。電子カメラ４で撮影した画像データはシリアルバス（シリアルインタフェースであるＵＳＢやＩＥＥＥ１３９４等）でパソコン３に送られる。また、電子カメラは、ＣＣＤやＭＯＳ型の撮像デバイスの何れを用いても良いし、デジカメラに限定されないで、ビデオカメラでも良い。なお、パソコン３は、通信機能付のコンピュータであれば良く、汎用コンピュータやミニコンであっても良い。
【００１８】
カスタマ（購入者）側は、インターネットを介して商品を購入する人の側で、ＷＡＮ（通信回線を利用したネットワークを指し、インターネットを含む）に接続できる装置が使用できる人で構成されるようになっている。購入者がホストにアクセスする装置は、例示すると、パソコンや携帯電話である。
電子商取引支援システムは、ホストとショップ（販売者）側から構成される。システム供給者は、電子商取引支援システムをショップ側に提供する。具体的には、電子商取引支援ソフトとホストの利用をショップ側に許可する。ショップ側は、その対価としてシステム供給者に使用料や頭金等を支払う。
【００１９】
図２は、電子商取引支援ソフトの構成を示す。電子商取引支援ソフトは、電子カタログ作成ソフトと事務処理ソフトからなり、何れもＨＴＭＬ言語で記述されたプログラムである。電子カタログ作成ソフトは、電子カタログを作成するためのプログラムで、画像取込ソフト（Ｃａｐｔｕｒｅ．ＥＸＥ）と商品の登録・編集ソフト（ＰｒｏｄｕｃｔＥｎｔｒｙ．ＥＸＥ）からなる。
【００２０】
画像取込ソフトは、撮影台６の回転に同期させ、電子カメラ４で商品６ａの画像を取り込むことができるプログラムでる。商品が１５度ずつ回転した位置で撮影され、１回転２４枚の画像構成を立体回転画像撮影の標準の１つとしている。しかし、平面的な商品は、その画像を回転表示する必要がないので、撮影台を回転しないで撮影する。この場合は、電子カメラを下向きにして商品を上から撮影する。このソフトには、回転撮影しない場合のプログラムと回転撮影する場合のプログラムが組み込まれており、それらをパソコンの画面で選択できるようになっている。回転撮影する場合は、撮影毎の回転角度も設定できる。商品を回転表示する場合、商品の回転運動のスムーズさは、画像の大きさによって異なるが、凡そ以下のとおりである。１回転１２枚（回転角度２０度）以下では、画像の動きがギクシャクして好ましくない。一方、１回転３６０枚（回転角１度）以上では、動きはスムーズになるが、品質過剰気味である。１回転当たり撮影する枚数は、１８枚〜３６０枚（回転角度２０度〜１度）が適しており、２４枚〜７２枚（回転角度１５度〜５度）が、より好ましい。しかし、用途によってはスムーズな回転を求めないケースもあるんで、本発明では、撮影する回転角度は、特段に限定されないことは、自明である。
【００２１】
商品の登録・編集ソフトは、商品の登録と、商品データと画像の変更と、電子カタログから商品を削除するプログラムからなる。商品の登録は、商品データと商品の画像を入力して作成する。本発明において、商品データとは、商品名、商品コード、カテゴリ、価格、在庫、コメント等を指す。商品データと画像の変更は、対象の電子カタログに登録されている商品データを商品変更画面に表示させ、変更したい箇所を変更し、また画像の変更は、登録された画像を新しい画像に変更するようになっている。変更された画像は自動的に消去される。電子カタログから商品を削除するプログラムは、商品データを表示した商品変更画面で商品コードを消去し空白とし、ホストに送信する手続からなる。
【００２２】
事務処理ソフト（ＷｏｒｋＯｒｄｅｒ．ＥＸＥ）は、電子商取引システムの使用手続、商品受発注処理や使用料の課金処理等の手続を定めたプログラムからなる。これらは、これまで慣用されているソフト又は類似したソフトを使用する。
【００２３】
図３は、電子カタログ作成ソフトを起動すると表示される画面である。この画面は、商品の新規登録のメニューと、商品の変更・削除のメニューがあり、それぞれのメニューを選択できるようになっている。なお、本実施例において図面に表示された文字列は、メニュー内容を表すもので、内容が同じであれば他の文字列でもかまわない。図３において、「商品の新規登録」メニューをクリックすると図４が表示される。
【００２４】
図４は、商品の新規登録の画面である。画面の左側が商品名や商品の属性等の商品データを入力する領域である。具体的には、商品名の欄には、商品の名前を入力する。商品コードは、電子カタログに掲載する商品のコードで、バーコードを用いる。バーコードは、バーコードリーダでバーコードが読み取られて入力される。商品にバーコードを付けない場合は、販売者が定めた商品コード（例えば、Ａ００１等）を入力する。多種類の商品を販売しない場合は、バーコードを入力せずに、手で商品コードを入力することも得策である。カテゴリは、商品の分類で、例えば、マスコット、小物入れ、キーホールダ等で、販売者が設定したものである。個々の商品は、カテゴリ別に分類されるデータ構成となっているので、カテゴリを付ける方が管理上と購入者にとって便利である。また、カテゴリの右横の▲マークをクリックすると登録されている他のカテゴリ名をプルダウンできる。
【００２５】
画面の右側は、商品の画像を表示する領域である。商品を撮影台６上にセットすると、電子カメラ４に映し出された画像がプレビュー領域に表示される。商品の画像の向きや大きさが適当な場合、画面の中央下端にある撮影（Ｐ）ボタンをクリックすると、プレビュー領域に表示されている画像が登録用の画像としてコンピュータに記憶される。撮影（Ｐ）ボタンをクリックした後、プレビュー領域の下端部にある商品回転ボタン８を左右にドラッグするとプレビュー領域に表示された画像は、回転する。電子カメラが固定なので、回転して表示される画像は、商品と撮影台で、背景は、回転しないで表示される。商品回転ボタン８のドラッグを止めると画像は回転を中止する。商品回転ボタンをドラッグする経路に回転角度を４分割した線を記載しているが、この線に商品回転角度を加えて表示しても良い。また商品回転角度の代わりに、左横・裏・右横等の表示でも良い。実施例において、商品回転ボタンを左端から右端にドラッグすると、画像の回転が左回りとなるように設定してある。逆に、商品回転ボタンを右端から左端にドラッグすると、右回りとなるよう設定されている。画像の回転とドラック方向の一致は人間の感性に適合しているが、人それぞれ好みもあり設定は逆でもかまわない。
【００２６】
登録ボタンは、商品の画像を回転してみて、登録して良いと判断した場合、使用するもので、登録ボタンをクリックすることにより入力された商品データと撮影された画像がサーバ１に送信され登録される。ホストに登録される電子カタログは、図９と図１０に示す画面をもったもので、電子カタログが登録されるとインターネットで直ちに登録された電子カタログをアクセスできる。
【００２７】
図５は、電子カタログを変更・削除する場合に使用する画面で、図３の「商品の変更・削除」メニューをクリックすることにより開くことができる。
画面の左側は、販売者が電子カタログとしてホストに登録してある商品の一覧を表示する領域である。商品名または商品コードをクリックすると、商品詳細が中央に表示される。例えば、売れ行きが思わしくないので価格を下げたい場合、価格欄を変更し、価格を変更した後修正ボタンをクリックすることにより、ホストに登録されている電子カタログの価格を修正できる。複数のデータを変更したい場合は、対象のデータを変更した後、修正ボタンをクリックする。なお、商品コードの変更は、この画面ではできないようになっている。
【００２８】
「写真を見る」ボタンをクリックすると電子カメラに映し出されている画像が、画面の左側の商品の一覧を表示する領域に表示される。写真を追加したい場合は、写真追加ボタンをクリックする。修正ボタンをクリックすることにより、ホストに登録されている電子カタログの画像が変更できるようになっている。
【００２９】
図６は、販売者が、電子カタログ支援ソフトを用いて商品をホストに登録する主な処理手順を示す。ショップ側のパソコンが電子カタログ支援ソフトを用いてで電子カタログを作成する役割をにない。そして、ホストがショップ側のパソコンから送信された電子カタログを所定の手続に従い自動的に登録する役割を担っていている。システム供給者は、商品の登録に関して直接的に手をくだすことはしない。
【００３０】
システム供給者から提供された電子カタログ作成ソフトは、ＣＤにコピーされて、ショップ側に配布される。なお、電子カタログ作成ソフトをインターネットからダウンロードできるように電子商取引システムを構築しても良い。
【００３１】
商品データと商品の画像を電子カタログに登録するために、まず、電子カタログ作成ソフトをパソコン３に起動する。電子カタログ作成ソフトが起動されると、図３の画面が表示される。この画面の「商品の新規登録」メニューを選択すると、図４が表示される。図４は、商品の登録画面で、電子カタログで必ず入力しなければならないものは、商品コードである。在庫、コメント等は、入力しなくても、電子カタログとして登録できる仕組みとなっている。商品コードが入力されていないと、ホストに電子カタログの登録は受け付けられないようになっている。商品コードは、ショップ側で決めることができる。バーコードで入力すると、バーコードが商品の受発注に使用できるので、バーコード入力が好ましい。ショップ側がバーコードリーダを使用できない場合、バーコードの数字を全て手入力しても良い。また、商品の種類が多くない場合は、バーコードを用いなくても良い。
【００３２】
次に、商品を撮影台に載せる。電子カメラの電源がＯＮであれば、電子カメラに写る画像が、図４のプレビューに表示される。プレビューを見ながら、手で商品を動かし商品の向きや姿勢を好ましい状態にセットし、電子カメラのズームを動かして商品の大きさを調整する。画像の背景は商品イメージに大きく影響を与えるので、好ましい色調と模様に商品の背景がなるように背景を設定する。図４の中央下端にある撮影（Ｐ）ボタンをクリックすると、撮影台が回転し、角度が１５度ずつ異なる商品の画像（２４枚）が自動的に撮影され、商品が１回転すると回転が停止し、撮影も終了する。プレビューの下端にある商品回転ボタン８を左右に移動させると画像が回転する。撮影された商品の画像が好ましくない場合は、もう一度商品等をセットし直して商品の撮影を行う。商品の画像が電子カタログに適当であると判断した場合、登録画面の右下端にある登録ボタンをクリックする。入力された商品データと撮影された画像が掲載された電子カタログが、ホストに送信される。ホストは、ショップから電子カタログを受信して、ショップの電子カタログとして登録する。登録された電子カタログは、即刻カスタマ側が利用できる。なお、ショップもカスタマであるので、自身が登録した電子カタログを確認することができる。
このように商品の登録画面に商品データと商品画像を入力して、電子カタログに登録することにより、熟達した技術者であっても電子カタログ作成時間を大幅に短縮することができる。ばらつきはあるが、電子データと１枚の画像の入力では作成時間が大略１／３に短縮し、２４枚の画像の入力では作成時間を１／１０以下に短縮することができる。
【００３３】
図７は、販売者が、電子カタログの変更・削除をする処理手続を示すフローチャートである。販売者が登録を間違えた場合や、登録後、状況の変化で電子カタログに掲載した事項を変更したい場合が発生した場合に用いる。
登録と同様に電子カタログ支援ソフトを起動させ、図３の画面で、「商品の変更・削除」メニューを選択すると、図５の変更画面が表示される。変更画面には登録されている商品名等が左側に表示される。カテゴリが多数ある場合、中央にあるカテゴリ欄からプルダウンしてカテゴリを選択し、更に変更対象の商品名を探す。画面の左側で商品名又は商品コードを選択すると画面の中央にある商品の詳細蘭に商品データが表示される。次に、変更したい商品の属性を変更する。画像を変更する必要のない場合、登録ボタンをクリックして、変更された商品データをホストに送信する。このような方法を用いることにより、電子カタログの変更に要する時間は、１／２以下に短縮される。
【００３４】
商品の画像を商品データと同時に変更したい場合、商品の登録と同じ手続で画像を取り込み、ホストに送信する。写真を見たい場合は、右上の「写真をみる」ボタンをクリックすると商品の画像が表示される。また、商品コードは、電子カタログを商品コードで管理しているので、変更できない。商品コードを変更したい場合は、登録画面で行い、不要となった商品コードは、後述する電子カタログの削除で削除する。
【００３４】
図８は、商品の電子カタログをホストから削除する処理手続のフローチャートである。変更と同様に図３で、「商品の変更・削除」メニューを選択し、図５の画面で商品コードを全て削除し空白に変更した後、登録ボタンをクリックすると、ホストに登録されていた電子カタログが、ホストから削除される。
【００３５】
図９と図１０は、電子カタログの例示である。カスタマが仮想商店にアクセスすると図９が表示される。この画面には商品の検索機能があり、探している商品を検索して指定することができる。商品名をクリックすると商品の写真と価格等の商品データが右側に表示される。多数の商品を一度に見たい場合は、カテゴリを指定するとそのカテゴリに登録されている商品の写真と商品データがほぼ画面いっぱいに表示され、「進む」または「戻る」ボタン（図示略）をクリックすることにより、他のページに画面を移動させることができる。また、画面をスクロールできるようにもなっている。商品の詳細を見たい場合、図９の写真または商品データをクリックすることにより、該当商品の詳細画面である図１０を開くことができる。図１０において、商品の写真の下に設けられた矢印は、写真の回転方向であり、中央の○は、写真を初期位置に戻すボタンである。下端に設けられた「購入する」ボタンをクリックすることにより、商品を発注することができるようになっている。
【００３６】
事務処理ソフトは、ショップにカスタマを登録する方法と、商品の受発注方法、商品の課金方法、システム供給者への使用料支払方法等のソフトが含まれたおり、このソフトを用いて、電子カタログに掲載された商品の電子商取引を行う。
【００３７】
以上は、本発明の実施例を説明したもので、記載された内容に限定されるものではない。たとえば、本発明において、クリックは、シングルクリックとダブルクリックの何れかを適宜選択して使用するようになっている。また、提供された電子カタログ作成ソフトを用いて販売者が電子カタログを作成するが、販売者は、ショップから委託されて電子カタログを作成する人もふくまれる。図１において、システム提供者の下にホストを記載したが、ホストは、システム供給者が利用できればよく、所有する必要はない。同様に、ショップ（販売者）側のハードについても同様のことがいえる。図１において、ハードは、全て所有する物に限定されず、使用できれば良い。
【００３８】
【発明の効果】
本発明は、以上説明したように構成されているので、以下に記載されるような効果を奏する。
【００３９】
本発明になる電子カタログ支援ソフトをシステムの構成要素の１つとする電子商取引支援システムにより、一般のＥ−ショップの販売者が、電子カタログを容易に作成し、ホストに電子カタログを容易に登録できる。一方、ＨＴＭＬやＸＭＬ等の言語の知識を有する販売者においても、電子カタログの作成と登録に要する時間が大幅に短縮できる。このようなことから、ショップ側は、商機を逃がすことなく、電子カタログをホストに登録することが可能となり、Ｅ−ショップ側の経営に大きく貢献することができる。
【００４０】
本発明になる電子カタログ支援ソフトをシステムの構成要素の１つとする電子商取引支援システムと方法により、商品の立体回転画像を取り込んだ電子カタログを容易に作成することができる。このようなことから、実物の商品を見ないで商品を購入する購入者が、購入する商品を従来と比較してより正確に認識することができる。このようなことから、本発明になる電子商取支援システムと方法は、電子取引の健全な発展に大きく寄与するものである。
【図面の簡単な説明】
【図１】本発明になる電子商取引システムの概要を示す図である。
【図２】電子商取引支援ソフトの構成要素を示す図である。
【図３】電子カタログ支援ソフトを起動したとき表示される画面である。
【図４】電子カタログ支援ソフトを用いて表示した商品の登録画面である。
【図５】電子カタログ支援ソフトを用いて表示した商品の変更画面である。
【図６】商品を電子カタログに登録する処理手順を説明するためのフローチャートである。
【図７】電子カタログに登録された商品データと画像を変更する処理手順を説明するためのフローチャートである。
【図８】ホストに登録された電子カタログをホストから削除する処理手順を説明するためのフローチャートである。
【図９】電子カタログの一般画面の一例である。
【図１０】特定商品の電子カタログ画面である。
【符号の説明】
１  ホストコンピュータ
２  ストレージ
３  パソコン
３ａ  ディスプレイ
４  電子カメラ
５  バーコードリーダ
６  撮影台
６ａ  商品
７  撮影台の回転制御装置
８  商品回転ボタン
【図１】
2004318791.tif 000003
【図２】
2004318791.tif 000004
【図３】
2004318791.tif 000005
【図４】
2004318791.tif 000006
【図５】
2004318791.tif 000007
【図６】
2004318791.tif 000008
【図７】
2004318791.tif 000009
【図８】
2004318791.tif 000010
【図９】
2004318791.tif 000011
【図１０】
2004318791.tif 000012